(57)【要約】【課題】内部の液体が注入時に意図せず漏れ出してしまうことを防止することができる液体ボトルを提供する。【解決手段】液体ボトルは、液体を収容するボトル本体部と、前記ボトル本体部の開口部に取り付けられるノズル部と、前記ボトル本体部の開口部と前記ノズル部との間に設けられる中栓部と、を備え、前記中栓部は、前記ボトル本体部内の液体を前記ノズル部内に供給する供給穴と、前記ノズル部内から前記供給穴を介して前記ボトル本体部内に液体が流れることを阻止する第１逆止弁と、前記第１逆止弁とは異なる部位に設けられ、前記ノズル部内の液体を前記ボトル本体部内に戻す戻り穴と、を備えている。【選択図】図２
2019189293.tif 000002
【特許請求の範囲】
【請求項１】
液体を収容するボトル本体部と、
前記ボトル本体部の開口部に取り付けられるノズル部と、
前記ボトル本体部の開口部と前記ノズル部との間に設けられる中栓部と、
を備え、
前記中栓部は、
前記ボトル本体部内の液体を前記ノズル部内に供給する供給穴と、
前記ノズル部内から前記供給穴を介して前記ボトル本体部内に液体が流れることを阻止する第１逆止弁と、
前記第１逆止弁とは異なる部位に設けられ、前記ノズル部内の液体を前記ボトル本体部内に戻す戻り穴と、
を備えることを特徴とする液体ボトル。
【請求項２】
前記供給穴の開口径は、前記戻り穴の開口径よりも大きいことを特徴とする請求項１に記載の液体ボトル。
【請求項３】
前記戻り穴は、前記ボトル本体部側の開口径が前記ノズル部側の開口径よりも大きいことを特徴とする請求項１または２に記載の液体ボトル。
【請求項４】
前記中栓部は、前記ボトル本体部側に凹む凹部を有し、
前記戻り穴は、前記突出部の底部に設けられていることを特徴とする請求項１から３の何れか１項に記載の液体ボトル。
【請求項５】
前記中栓部は、前記ボトル本体部の開口部に対して傾斜する傾斜部を有し、
前記戻り穴は、前記傾斜部のうち最も前記ボトル本体部側の部位に設けられている請求項１から４の何れか１項に記載の液体ボトル。
【請求項６】
前記ボトル本体部内から前記戻り穴を介して前記ノズル部内に液体が流れることを阻止する第２逆止弁をさらに備えることを特徴とする請求項１から５の何れか１項に記載の液体ボトル。
【請求項７】
前記中栓部は、使用時に上側となる使用時上側部を有し、
前記戻り穴は、前記中栓部のうち前記使用時上側部とは異なる部位に設けられていることを特徴とする請求項１から６の何れか１項に記載の液体ボトル。
【請求項８】
前記ノズル部は、液体を外部に流出させる流出口を有し、
前記中栓部の前記使用時上側部と同じ側に、前記流出口を塞ぐためのキャップが接続されていることを特徴とする請求項７に記載の液体ボトル。
【請求項９】
前記ノズル部は、液体を外部に流出させる流出口を有し、
前記ボトル本体部は、使用時にユーザの手指を沿わせるためのガイド部を有し、
ユーザが前記ガイド部に手指を沿わせて前記流出口から液体を流出させる際に、前記使用時上側部が上側に位置することを特徴とする請求項７に記載の液体ボトル。
【発明の詳細な説明】
【技術分野】
【０００１】
本開示は、注入対象物に液体を注入するための液体ボトルに関する。
【背景技術】
【０００２】
例えば特許文献１に開示されているように、液体を注入するための液体ボトルは、液体を収容するボトル本体部と、このボトル本体部の開口部に取り付けられるノズル部と、を備えた構成となっている。この種の液体ボトルを用いて液体を注入対象物に注入する場合、ユーザは、まず、注入対象物の液体入口の上方において液体ボトルを傾け、その後、注入対象物の液体入口にノズル部を差し込み、その後、ボトル本体部を押圧する。つまり、ユーザは、ボトル本体部をポンピングする。これにより、ボトル本体部内に収容されている液体が、ノズル部を介して注入対象物内に注入される。
【先行技術文献】
【特許文献】
【０００３】
【特許文献１】特開２００４−３２３０９８号公報
【発明の概要】
【発明が解決しようとする課題】
【０００４】
ところで、従来構成の液体ボトルでは、液体の注入時に傾けたときに、ノズル部の先端部がほぼ水平となる状態を経由する必要がある。しかし、ノズル部の先端部がほぼ水平となる状態では、ノズル部の先端部内において液体が下方に位置し、その上方に空気が位置した状態、つまり、気液２相状態が形成される。そして、このような気液２相状態が形成されると、ノズル部の先端部内において液体がメニスカスを張ることができず、従って、ポンピングをしなくても液体がノズル部の先端部から漏れ出してしまう場合がある。そのため、ユーザは、このようにポンピングによらずに意図せず漏れ出してしまう液体の拭き取り作業を行わなければならず、作業負担が大きくなる。
【０００５】
本開示は上記事情に鑑みてなされたものであり、その目的は、内部の液体が注入時に意図せず漏れ出してしまうことを防止することができる液体ボトルを提供することである。
【課題を解決するための手段】
【０００６】
本開示に係る液体ボトルは、液体を収容するボトル本体部と、前記ボトル本体部の開口部に取り付けられるノズル部と、前記ボトル本体部の開口部と前記ノズル部との間に設けられる中栓部と、を備え、前記中栓部は、前記ボトル本体部内の液体を前記ノズル部内に供給する供給穴と、前記ノズル部内から前記供給穴を介して前記ボトル本体部内に液体が流れることを阻止する第１逆止弁と、前記第１逆止弁とは異なる部位に設けられ、前記ノズル部内の液体を前記ボトル本体部内に戻す戻り穴と、を備えることを特徴とする。
【０００７】
本開示に係る液体ボトルによれば、ボトル本体部が押圧されない限り、ボトル本体部内の液体をノズル部から流出しないようにすることができ、液体ボトルの内部の液体が意図せず漏れ出してしまうことを防止することができる。
【図面の簡単な説明】
【０００８】
【図１】第１実施形態に係るインクボトルの構成例を概略的に示す外観斜視図
【図２】第１実施形態に係るインクボトルの内部の構成例を概略的に示す縦断面図
【図３】第１実施形態に係る中栓部の構成例を概略的に示す外観斜視図
【図４】第１実施形態に係る中栓部の構成例を概略的に示す縦断面図
【図５】第１実施形態に係る液体ボトルの押圧時における中栓部の状態例を概略的に示す縦断面図
【図６】第２実施形態に係る中栓部の構成例を概略的に示す縦断面図
【図７】第３実施形態に係る中栓部の構成例を概略的に示す縦断面図
【図８】第４実施形態に係る中栓部の構成例を概略的に示す縦断面図
【図９】第５実施形態に係るインクボトルの構成例を概略的に示す外観斜視図
【発明を実施するための形態】
【０００９】
以下、本開示の液体ボトルに係る複数の実施形態について、図面を参照しながら説明する。なお、複数の実施形態において実質的に同一の要素には同一の符号を付し、その説明を省略する。
【００１０】
（第１実施形態）
図１及び図２に例示するインクボトル１は、液体ボトルの一例であり、図示しないプリンタに液体の一例であるインクを注入するための液体ボトルである。インクボトル１は、ボトル本体部２、ノズル部３を備えている。ボトル本体部２は、例えばプラスチック材料などの剛性を有する部材により構成されている。ボトル本体部２は、有底円筒状のインク収容部４と、このインク収容部４の底面４ａとは反対側に設けられている開口部５と、を備えている。インク収容部４の底面４ａは、滑らかな球面状に窪む凹面となっている。開口部５は、円筒状をなしており、その最先端部に開口面部５ａを形成している。開口部５の開口径は、インク収容部４の内径よりも小さくなっている。なお、インク収容部４は、その剛性が、ユーザの手指によって押圧可能なほどの剛性に抑えられている。
【００１１】
ノズル部３は、基端部６、先端部７を備えている。基端部６は、ボトル本体部２の開口部５に嵌るキャップ形状をなしている。ノズル部３は、その基端部６にボトル本体部２の開口部５がねじ込まれることにより、ボトル本体部２の開口部５に取り付けられるようになっている。先端部７は、基端部６よりも細いほぼ直線状に延びる管状をなしており、その最先端部に開口面部７ａを形成している。先端部７は、液体の一例であるインクをインクボトル１の外部に流出させる流出口の一例として機能する。先端部７の外周部には、複数、この場合、４つのリブ８が設けられている。基端部６と先端部７との間には、テーパ部９が設けられている。テーパ部９は、その内径が基端部６から先端部７に向かって徐々に減少する形状となっている。
【００１２】
また、インクボトル１は、キャップ１０を備えている。本実施形態では、キャップ１０は、ノズル部３に一体的に設けられている。より具体的には、キャップ１０は、ノズル部３の基端部６の外周面にバンド１０ａを介して接続されている。キャップ１０は、バンド１０ａを湾曲させてノズル部３の先端部７の開口面部７ａに装着されることで、当該先端部７の最先端部を塞ぐ。
【００１３】
図２に例示するように、インクボトル１は、さらに中栓部２０を備えている。中栓部２０は、インクボトル１の内部において、ボトル本体部２の開口部５とノズル部３との間に設けられている。より具体的には、中栓部２０は、ボトル本体部２の開口部５の先端部である開口面部５ａと、ノズル部３の基端部６の天面を構成する段部６ａの内面との間に挟まれた状態で取り付けられている。
【００１４】
次に、中栓部２０の構成例について説明する。図３及び図４に例示するように、中栓部２０は、全体として円板状をなす中栓本体部２１に、供給穴２２、第１逆止弁２３、戻り穴２４を備える構成となっている。中栓本体部２１は、例えばプラスチック材料などの剛性を有する部材により構成されている。中栓本体部２１の中心部には、逆止弁支持穴２１ａが設けられている。供給穴２２は、ボトル本体部２のインク収容部４内のインクをノズル部３内に供給するための穴であり、逆止弁支持穴２１ａの周囲に複数、この場合、４つ設けられている。
【００１５】
第１逆止弁２３は、ノズル部３内から供給穴２２を介してボトル本体部２のインク収容部４内にインクが流れることを阻止するための逆止弁である。第１逆止弁２３は、その全体が例えばゴム材などの弾性変形可能な部材により構成されている。第１逆止弁２３は、円板状の逆止弁本体部２３ａを有し、この逆止弁本体部２３ａの中心部に軸部２３ｂを備えた構成となっている。逆止弁本体部２３ａは、供給穴２２をノズル部３側から覆っている。軸部２３ｂは、逆止弁支持穴２１ａにノズル部３側から差し込まれている。軸部２３ｂは、逆止弁支持穴２１ａに差し込まれた状態でインク収容部４側となる部分に膨出部２３ｃを有しており、これにより、軸部２３ｂが逆止弁支持穴２１ａから抜けてしまうこと、換言すれば、第１逆止弁２３が中栓本体部２１から抜けてしまうことが防止されるようなっている。
【００１６】
戻り穴２４は、ノズル部３内のインクをボトル本体部２のインク収容部４内に戻すための穴であり、中栓本体部２１において第１逆止弁２３とは異なる位置に設けられている。より具体的には、戻り穴２４は、中栓本体部２１において第１逆止弁２３の逆止弁本体部２３ａにより覆われない位置に設けられている。本実施形態では、戻り穴２４は、中栓本体部２１に１つ設けられている。つまり、戻り穴２４の数は、供給穴２２の数よりも少なくなっている。
【００１７】
本実施形態では、複数の供給穴２２の開口径αは、何れも同じ大きさとなっている。そして、複数の供給穴２２の開口径αは、何れも戻り穴２４の開口径β，γよりも大きくなっている。なお、複数の供給穴２２の開口径を相互に異ならせた構成としてもよい。また、戻り穴２４は、ボトル本体部２側の開口径βがノズル部３側の開口径γよりも大きくなっている。なお、戻り穴２４の開口径は、その全体にわたって均一な大きさとした構成としてもよい。
【００１８】
次に、上述のように構成されるインクボトル１を用いて、注入対象物の一例である図示しないプリンタにインクを注入する場合の作用について説明する。即ち、インクボトル１を用いてインクをプリンタのインク用タンクに注入する場合、ユーザは、まず、インク用タンクのインク入口の上方においてインクボトル１を傾け、その後、プインク用タンクのインク入口にノズル部３の先端部７を差し込み、その後、ボトル本体部２のインク収容部４を押圧する。つまり、ユーザは、ボトル本体部２のインク収容部４をポンピングする。これにより、ボトル本体部２のインク収容部４内に収容されているインクが、ノズル部３を介して先端部７からインク用タンクの内部に注入される。
【００１９】
このとき、プリンタのインク用タンクにインクを注入するに際し、ユーザがインクボトル１を傾けたとしても、ボトル本体部２のインク収容部４が押圧されていない状態では、供給穴２２は、第１逆止弁２３の逆止弁本体部２３ａによって閉塞されている。そのため、ボトル本体部２のインク収容部４内から供給穴２２を介してノズル部３内にインクが流れることが、第１逆止弁２３によって阻止される。
【００２０】
また、戻り穴２４は、供給穴２２に比べて微細な穴となっており、従って、インクボトル１の傾斜に伴い戻り穴２４にインクが流入したとしても、そのインクの流入量は極めて少量である。また、戻り穴２４が微細な穴であることから、この戻り穴２４にインクが流入したとしても気液２相状態が形成されにくく、従って、戻り穴２４に流入したいインクは、メニスカスを張ることができ、戻り穴２４から流出しにくくなる。そのため、ボトル本体部２のインク収容部４内から戻り穴２４を介してノズル部３内にインクが流れることは殆ど無く、また、戻り穴２４にインクが流入したとしても、その量は極めて少量に抑えられる。よって、インクボトル１を傾斜させただけでは、ボトル本体部２のインク収容部４内からノズル部３内にインクが漏れ出ることは殆ど或いは全く無い。
【００２１】
そして、ユーザが、ボトル本体部２のインク収容部４を押圧すると、図５に矢印Ａで例示するように、インク収容部４内からノズル部３側に流出しようとするインクの圧によって第１逆止弁２３の逆止弁本体部２３ａがノズル部３側に押されて湾曲するように変形する。これにより、供給穴２２が開放し、ボトル本体部２内からノズル部３内にインクが流出するようになる。これにより、インク収容部４内からノズル部３内にインクが供給され、そのノズル部３内に供給されたインクは、先端部７から流出してプリンタのインク用タンクに注入される。
【００２２】
そして、ユーザが、ボトル本体部２のインク収容部４の押圧を解除すると、インク収容部４が膨らむことに伴い当該インク収容部４内に空気や液体を吸引する吸引力が発生し、これにより、第１逆止弁２３の逆止弁本体部２３ａの変形が解除されて、供給穴２２が閉塞される。そして、ノズル部３内に残っているインクは、戻り穴２４から吸い込まれるようにしてボトル本体部２のインク収容部４内に戻される。これにより、ノズル部３内に残ったインクを外部に漏れ出させることなくボトル本体部２のインク収容部４内に戻すことができる。
【００２３】
なお、ユーザは、プリンタのインク用タンクにインクを注入するに際しインクボトル１を傾ける場合、通常は、キャップ１０が接続されている部分、つまり、バンド１０ａが接続されている部分を下側ではなく上側に位置させた状態で傾けることが想定される。キャップ１０が接続されている部分が下側に位置していると、キャップ１０やバンド１０ａがプリンタに接触し、インク注入の際の妨げとなるおそれがあるからである。
【００２４】
そこで、本実施形態に係るインクボトル１は、キャップ１０が接続されている部分を注入時に上側になる部分であると想定し、中栓部２０について、キャップ１０が接続されている部分側の少なくとも半部を、傾斜時に上側となる使用時上側部２０Ａとして定義している。つまり、インクボトル１は、中栓部２０の使用時上側部２０Ａと同じ側にキャップ１０が接続された構成となっている。また、中栓部２０について、キャップ１０が接続されている部分とは反対側の少なくとも半部を、使用時に下側となる使用時下側部２０Ｂとして定義している。つまり、インクボトル１は、中栓部２０の使用時下側部２０Ｂとは反対側にキャップ１０が接続された構成となっている。
【００２５】
そして、中栓部２０は、戻り穴２４を、使用時上側部２０Ａではなく使用時下側部２０Ｂに設けた構成となっている。つまり、中栓部２０は、インクボトル１においてキャップ１０が接続されている部分とは反対側に戻り穴２４が位置する状態で、インクボトル１の内部に取り付けられるようになっている。
【００２６】
本実施形態に係るインクボトル１によれば、ボトル本体部２の開口部５の先端部とノズル部３の基端部６の内面との間に中栓部２０を設け、この中栓部２０に、ボトル本体部２のインク収容部４内のインクをノズル部３内に供給するための複数の供給穴２２と、ノズル部３内から供給穴２２を介してボトル本体部２内にインクが流れることを阻止するための第１逆止弁２３と、第１逆止弁２３とは異なる部位に設けられてノズル部３内のインクをボトル本体部２内に戻すための戻り穴２４と、を設けている。
【００２７】
この構成によれば、単にインクボトル１を傾けただけの非押圧状態では、ボトル本体部２のインク収容部４内からノズル部３内に供給穴２２を介してインクが流出してしまうことを第１逆止弁２３によって阻止することができる。また、ユーザがボトル本体部２のインク収容部４をポンピングすることに伴い、インク収容部４が押圧されたときには、インクの圧によって第１逆止弁２３が変形することにより、ボトル本体部２のインク収容部４内から供給穴２２を介してノズル部３内にインクを供給することができ、ノズル部３の先端部７からプリンタのインク用タンクにインクを注入することができる。一方、ボトル本体部２のインク収容部４の押圧が解除されたときには、ノズル部３内から戻り穴２４を介してボトル本体部２のインク収容部４内にインクを戻すことができる。
【００２８】
以上の通り、本実施形態に係るインクボトル１によれば、ユーザがボトル本体部２のインク収容部４を押圧しなければ、インク収容部４内のインクがノズル部３の先端部７から流出しないようになっている。従って、インクボトル１の内部のインクがプリンタへの注入時に意図せず漏れ出してしまうことを防止することができる。
【００２９】
また、インクボトル１によれば、供給穴２２の開口径αは、戻り穴２４の開口径β，γよりも大きくなっている。この構成によれば、ユーザがボトル本体部２を押圧したときに、大きな開口径αを有する供給穴２２からボトル本体部２のインク収容部４内のインクをノズル部３内にスムーズに流出させることができ、プリンタへのインクの注入を一層効率良く行うことができる。
【００３０】
また、インクボトル１によれば、戻り穴２４は、ボトル本体部２のインク収容部４側の開口径βがノズル部３側の開口径γよりも大きくなっている。この構成によれば、戻り穴２４においてボトル本体部２のインク収容部４側からノズル部３側にはインクが流れにくくなり、従って、インクボトル１を傾けた際に、戻り穴２４を介してボトル本体部２のインク収容部４側からノズル部３側に流れるインクの量を一層抑制することができ、ひいては、ノズル部３から意図せず漏れ出てしまうインクの量を一層抑制することができる。また、ノズル部３側からボトル本体部２のインク収容部４側にはインクが流れやすくなり、従って、ボトル本体部２の押圧が解除された際に、戻り穴２４を介してノズル部３側からボトル本体部２のインク収容部４側に流れるインクの量を一層多くすることができ、ひいては、ノズル部３から意図せず漏れ出てしまうインクの量を一層抑制することができる。
【００３１】
また、インクボトル１によれば、戻り穴２４は、使用時に傾斜した状態で上側となる使用時上側部２０Ａではなく下側となる使用時下側部２０Ｂに設けられている。ここで、仮に戻り穴２４がインクボトル１の傾斜時に上側となる部分に設けられている構成について検討すると、傾斜時に戻り穴２４がインクによって閉塞されず開放した状態となる。そのため、ユーザがボトル本体部２のインク収容部４の押圧を解除したときに、ノズル部３内に残存しているインクがインク収容部４内に戻る前にノズル部３内の空気が戻り穴２４からインク収容部４内に引き込まれてしまい、押圧によって変形していたインク収容部４が非押圧時の元の形状に戻ってしまう。よって、ノズル部３内に残存しているインクをインク収容部４内に戻すことができないおそれがある。また、ユーザがボトル本体部２のインク収容部４を押圧したときに、当該インク収容部４内の空気が戻り穴２４から漏れ出てしまうため、インク収容部４の押圧力を効率良くインクに作用させることができず、従って、効率良くインクを流出させることができない。
【００３２】
これに対し、傾斜時に下側となる部分に戻り穴２４が設けられる本実施形態のインクボトル１によれば、傾斜時に戻り穴２４がインクによって閉塞された状態となる。そのため、ユーザがボトル本体部２のインク収容部４の押圧を解除したときに、ノズル部３内に残存しているインクがインク収容部４内に戻る前にノズル部３内の空気が戻り穴２４からインク収容部４内に引き込まれてしまうことを防止することができる。これにより、ノズル部３内にインクが残存したままの状態となることを防止することができる。また、ユーザがボトル本体部２のインク収容部４を押圧したときに、当該インク収容部４内の空気が戻り穴２４から漏れ出てしまうことを防止することができる。これにより、インク収容部４の押圧力を効率良くインクに作用させることができ、従って、効率良くインクを流出させることができる。
【００３３】
（第２実施形態）
図６に例示するように、本実施形態では、中栓部２０は、さらに第２逆止弁３３を備えている。即ち、中栓本体部２１の中心部には、さらに逆止弁支持穴２１ｂが設けられている。第２逆止弁３３は、ボトル本体部２のインク収容部４内から戻り穴２４を介してノズル部３内にインクが流れることを阻止するための逆止弁である。第２逆止弁３３は、その全体が例えばゴム材などの弾性変形可能な部材により構成されている。第２逆止弁３３は、円板状の逆止弁本体部３３ａを有し、この逆止弁本体部３３ａの中心部に軸部３３ｂを備えた構成となっている。逆止弁本体部３３ａは、戻り穴２４をボトル本体部２のインク収容部４側から覆っている。軸部３３ｂは、逆止弁支持穴２１ｂにインク収容部４側から差し込まれている。軸部３３ｂは、逆止弁支持穴２１ｂに差し込まれた状態でノズル部３側となる部分に膨出部３３ｃを有しており、これにより、軸部３３ｂが逆止弁支持穴２１ｂから抜けてしまうこと、換言すれば、第２逆止弁３３が中栓本体部２１から抜けてしまうことが防止されるようなっている。
【００３４】
本実施形態に係るインクボトル１によれば、単にインクボトル１を傾けただけの非押圧状態では、ボトル本体部２のインク収容部４内からノズル部３内に供給穴２２を介してインクが流出してしまうことを第１逆止弁２３によって阻止することができ、且つ、ボトル本体部２のインク収容部４内からノズル部３内に戻り穴２４を介してインクが流出してしまうことを第２逆止弁３３によって阻止することができる。
【００３５】
また、ボトル本体部２の押圧が解除されたときには、ノズル部３内からボトル本体部２のインク収容部４内に戻り穴２４を介して戻ろうとするインクの圧によって第２逆止弁３３の逆止弁本体部３３ａがボトル本体部２側に押されて湾曲するように変形する。これにより、戻り穴２４が開放し、ノズル部３内からボトル本体部２のインク収容部４内にインクを戻すことができる。
【００３６】
以上の通り、本実施形態に係るインクボトル１によれば、ボトル本体部２のインク収容部４の押圧時においてはボトル本体部２のインク収容部４内から戻り穴２４を介してインクが流出することを防止することができ、一方、ボトル本体部２のインク収容部４の押圧解除時においてはノズル部３内からボトル本体部２のインク収容部４内に戻り穴２４を介してインクを戻すことができる。従って、ノズル部３内に残るインクが意図せず漏れ出してしまうことを一層防止することができる。
【００３７】
（第３実施形態）
図７に例示するように、本実施形態では、中栓部２０は、インクボトル１内に取り付けられた状態においてボトル本体部２のインク収容部４側に窪む凹部４０を備えている。この場合、凹部４０は、有底円筒状に窪む凹部となっている。また、凹部４０は、第１逆止弁２３とは異なる部位に設けられている。そして、戻り穴２４は、凹部４０の底部に設けられている。また、凹部４０の底部には、さらに第２逆止弁３３が設けられている。
【００３８】
本実施形態に係るインクボトル１によれば、ボトル本体部２の押圧解除時においては、ノズル部３内に残るインクを凹部４０内に集めて戻り穴２４からボトル本体部２のインク収容部４内に戻すことができる。これにより、ノズル部３内に残るインクを効率良くボトル本体部２のインク収容部４内に戻すことができ、ノズル部３内に残るインクが意図せず漏れ出してしまうことを一層確実に防止することができる。
【００３９】
（第４実施形態）
図８に例示するように、本実施形態では、中栓部２０は、インクボトル１内に取り付けられた状態においてボトル本体部２のインク収容部４側に突出する突出部５０を有している。この場合、突出部５０は、インク収容部４側に向かって徐々に先細状となる円錐状に突出する突出部となっている。この中栓部２０がインクボトル１の内部に取り付けられた状態において、突出部５０の側面部５０ａは、ボトル本体部２の開口部５の開口面に対して傾斜した状態となる。よって、この突出部５０は、ボトル本体部２の開口部５の開口面に対して傾斜する傾斜部の一例として備えられている。また、突出部５０は、第１逆止弁２３とは異なる部位に設けられている。そして、戻り穴５４は、突出部５０の先端部に設けられている。つまり、戻り穴５４は、傾斜部を有する突出部５０のうち最もボトル本体部２側の部位に設けられている。なお、戻り穴５４の開口径は、ボトル本体部２側とノズル部３側とで変化しておらず、その全体にわたって均一な大きさとなっている。
【００４０】
本実施形態に係るインクボトル１によっても、ボトル本体部２の押圧解除時においては、ノズル部３内に残るインクを突出部５０内に集めて戻り穴５４からボトル本体部２のインク収容部４内に戻すことができる。これにより、ノズル部３内に残るインクを効率良くボトル本体部２のインク収容部４内に戻すことができ、ノズル部３内に残るインクが意図せず漏れ出してしまうことを一層確実に防止することができる。
【００４１】
（第５実施形態）
図９に例示するように、本実施形態に係るインクボトル１は、さらにガイド溝６０を備えている。ガイド溝６０は、ガイド部の一例であり、ボトル本体部２のインク収容部４の側面において内側に滑らかに窪むようにして設けられている。また、ガイド溝６０は、ボトル本体部２のインク収容部４の周方向に沿って延びる長尺な溝状となっている。また、ボトル本体部２には複数、この場合、２つのガイド溝６０が設けられており、これらガイド溝６０は、ボトル本体部２の直径方向において相互に対向するようにして対をなしている。
【００４２】
また、キャップ１０が接続されている部分は、ボトル本体部２のインク収容部４の周方向において複数のガイド溝６０に対しずれた位置に設けられている。即ち、ボトル本体部２を軸方向に沿って見た場合に、キャップ１０は、２つのガイド溝６０に挟まれた位置に接続されている。
【００４３】
インクボトル１の使用時において、ユーザは、キャップ１０側から手指をガイド溝６０に沿わせてインクボトル１を傾斜させる。ここで、上述した通り、インクボトル１は、中栓部２０の使用時上側部２０Ａと同じ側にキャップ１０が接続された構成となっている。そのため、ユーザがキャップ１０側から手指をガイド溝６０に沿わせてインクボトル１を傾斜させた状態では、インクボトル１の内部において、中栓部２０は、キャップ１０側である使用時上側部２０Ａが上側となり、キャップ１０とは反対側である使用時下側部２０Ｂが下側となる。つまり、戻り穴２４を有する使用時下側部２０Ｂが下側となる。
【００４４】
本実施形態に係るインクボトル１によれば、使用時においてユーザが手指をガイド溝６０に沿わせてインクボトル１を把持することにより、そのインクボトル１を傾斜させた状態では、戻り穴２４を確実に下側に位置させることができる。これにより、ボトル本体部２のインク収容部４の押圧時に、インク収容部４内の空気が戻り穴２４から漏れ出てしまうことを確実に防止することができ、押圧力を効率良くインクに作用させて、効率良くインクを流出させることができる。
【００４５】
（その他の実施形態）
なお、本開示は、上述した複数の実施形態に限定されるものではなく、その要旨を逸脱しない範囲で様々な変形、拡張が可能である。例えば、上述した複数の実施形態を、適宜選択して組み合わせて実施してもよい。また、インクボトル１は、キャップ１０を別体に備える構成としてもよい。
【００４６】
また、例えば、ボトル本体部２の外周面に、使用時に上側とすることを促す注意書き、例えば「こちらを上側にしてください。」といった注意書きを記載してもよい。これにより、使用時に戻り穴２４を一層確実に下側に位置させることができ、ボトル本体部２の押圧時におけるインクの流出を一層効率良く行うことができる。
【００４７】
また、本開示に係る液体ボトルは、プリンタのインク用タンクにインクを注入するためのインクボトルに限られず、注入対象物内に液体を注入するための液体ボトルであれば、種々の液体ボトルに適用することができる。
【符号の説明】
【００４８】
１：インクボトル（液体ボトル）、２：ボトル本体部、３：ノズル部、５：開口部、７：ノズル部の先端部（流出口）、１０：キャップ、２０：中栓部、２０Ａ：使用時上側部、２２：供給穴、２３：第１逆止弁、２４：戻り穴、３３：第２逆止弁、４０：凹部、５０：突出部（傾斜部）、５４：戻り穴、６０：ガイド溝（ガイド部）
【図１】
2019189293.tif 000003
【図２】
2019189293.tif 000004
【図３】
2019189293.tif 000005
【図４】
2019189293.tif 000006
【図５】
2019189293.tif 000007
【図６】
2019189293.tif 000008
【図７】
2019189293.tif 000009
【図８】
2019189293.tif 000010
【図９】
2019189293.tif 000011